【手続補正書】
【提出日】平成29年7月12日(2017.7.12)
【手続補正１】
【補正対象書類名】特許請求の範囲
【補正対象項目名】全文
【補正方法】変更
【補正の内容】
【特許請求の範囲】
【請求項１】
炭化水素原料をオレフィン又はＢＴＸ（ベンゼン、トルエン、キシレン）に変換する方法であって、前記方法は、
第１の水素化分解部に炭化水素原料を供給するステップと、
前記第１の水素化分解部からの流出物を第１の分離部へ供給するステップと、
前記第１の分離部において、前記流出物を、水素を含むストリーム、メタンを含むストリーム、エタンを含むストリーム、プロパンを含むストリーム、ブタンを含むストリーム、Ｃ１−を含むストリーム、Ｃ２−を含むストリーム、Ｃ３−を含むストリーム、Ｃ４−を含むストリーム、Ｃ１−Ｃ２を含むストリーム、Ｃ１−Ｃ３を含むストリーム、Ｃ１−Ｃ４を含むストリーム、Ｃ２−Ｃ３を含むストリーム、Ｃ２−Ｃ４を含むストリーム、Ｃ３−Ｃ４を含むストリーム、及びＣ５＋を含むストリームの群から選択された１以上のストリームに分離するステップと、
前記プロパンを含むストリーム、前記ブタンを含むストリーム、前記Ｃ３−を含むストリーム、前記Ｃ４−を含むストリーム、前記Ｃ２−Ｃ３を含むストリーム、前記Ｃ１−Ｃ３を含むストリーム、前記Ｃ１−Ｃ４を含むストリーム、前記Ｃ２−Ｃ３を含むストリーム、前記Ｃ２−Ｃ４を含むストリーム、及び前記Ｃ３−Ｃ４を含むストリームの群から選択された１以上のストリームを、ブタン脱水素部、プロパン脱水素部、複合プロパン−ブタン脱水素部、又はそれらの組合せの群から選択された少なくとも１つの脱水素部に供給するステップと、
前記エタンを含むストリーム、前記Ｃ１−Ｃ２を含むストリーム、及び前記Ｃ２−を含むストリームの群から選択された少なくとも１つのストリームを、前記第１の分離部から蒸気分解部及び／又は第２の分離部へ供給するステップと、
前記蒸気分解部及び少なくとも１つの脱水素部からの流出物を前記第２の分離部へ供給するステップと、
を含むことを特徴とする方法。
【請求項２】
脱水素プロセスは触媒プロセスであり、蒸気分解プロセスは熱分解プロセスであることを特徴とする請求項１に記載の方法。
【請求項３】
前記Ｃ５＋を含むストリームを第２の水素化分解部に供給するステップを更に含むことを特徴とする請求項１又は２に記載の方法。
【請求項４】
Ｃ１−を含むストリームを前記第２の分離部に供給するステップを更に含むことを特徴とする請求項１〜３のいずれかに記載の方法。
【請求項５】
前記第２の水素化分解部からの流出物を、Ｃ４−を含むストリーム、未変換Ｃ５＋を含むストリーム、及びＢＴＸを含むストリームに分離するステップと、
前記Ｃ４−を含むストリームを前記第１の分離部に供給するステップと、
前記未変換Ｃ５＋を含むストリームと、前記炭化水素原料とを混合し、得られた混合ストリームを前記第１の水素化分解部に供給するステップを更に含むことを特徴とする請求項３に記載の方法。
【請求項６】
前記炭化水素原料を高芳香族含有ストリームと低芳香族含有ストリームとに分離することにより前処理するステップと、
前記低芳香族含有ストリームを前記第１の水素化分解部に供給するステップと、
前記高芳香族含有ストリームを前記第２の水素化分解部に供給するステップを更に含むことを特徴とする請求項３〜５のいずれかに記載の方法。
【請求項７】
前記ブタンを含むストリームを前記ブタン脱水素部に供給するステップと、
前記Ｃ２−Ｃ３を含むストリーム、前記Ｃ１−Ｃ３を含むストリーム、前記Ｃ３−を含むストリーム、及び前記Ｃ３を含むストリームの群から選択されたストリームを前記プロパン脱水素部に供給するステップと、
を更に含むことを特徴とする請求項１〜６のいずれかに記載の方法。
【請求項８】
前記Ｃ３−Ｃ４を含むストリーム、前記Ｃ２−Ｃ４を含むストリーム、前記Ｃ１−Ｃ４を含むストリーム、及び前記Ｃ４−を含むストリームの群から選択されたストリームを前記複合プロパン−ブタン脱水素部に供給するステップを更に含むことを特徴とする請求項１〜７のいずれかに記載の方法。
【請求項９】
前記蒸気分解部からの流出物を前記第２の分離部に供給するステップを更に含むことを特徴とする請求項１〜８のいずれかに記載の方法。
【請求項１０】
前記蒸気分解部、前記第１の分離部、及び少なくとも１つのプロパン又はブタン又は複合プロパン−ブタン脱水素部からの流出物のいずれかを、前記第２の分離部において、水素を含むストリーム、メタンを含むストリーム、Ｃ３を含むストリーム、Ｃ２＝を含むストリーム、Ｃ３＝を含むストリーム、Ｃ４混合物を含むストリーム、Ｃ５＋を含むストリーム、Ｃ２を含むストリーム、及びＣ１−を含むストリームの群から選択された１以上のストリームに分離するステップを更に含むことを特徴とする請求項１〜９のいずれかに記載の方法。
【請求項１１】
前記Ｃ２を含むストリームを前記蒸気分解部に供給するステップを更に含むことを特徴とする請求項１０に記載の方法。
【請求項１２】
前記第２の分離部から得られた前記Ｃ５＋を含むストリームを前記第１の水素化分解部及び／又は前記第２の水素化分解部に供給するステップを更に含むことを特徴とする請求項１０又は１１に記載の方法。
【請求項１３】
前記第２の分離部から得られた前記水素を含むストリームを前記第１の水素化分解部及び／又は前記第２の水素化分解部に供給するステップを更に含むことを特徴とする請求項１０〜１２のいずれかに記載の方法。
【請求項１４】
前記第２の分離部から得られた前記Ｃ１−を含むストリームを前記第１の分離部に供給するステップを更に含むことを特徴とする請求項１０〜１３のいずれかに記載の方法。
【請求項１５】
前記第２の分離部から得られた前記Ｃ３を含むストリームを前記プロパン脱水素部及び／又は前記複合プロパン−ブタン脱水素部に供給するステップを更に含むことを特徴とする請求項１０〜１４のいずれかに記載の方法。
【手続補正２】
【補正対象書類名】明細書
【補正対象項目名】０００２
【補正方法】変更
【補正の内容】
【０００２】
米国特許第４，１３７，１４７号は、沸点が約３６０℃未満であり、１分子あたり少なくとも４個の炭素原子を含むノーマル及びイソパラフィンを少なくとも含む原油から、エチレン及びプロピレンを製造する方法であって、原油は、水素化分解ゾーンにおいて、触媒存在下で水素化分解反応を受け、（ｂ）水素化分解反応からの流出物は、（ｉ）上部から、メタン及び場合によっては水素、（ｉｉ）１分子あたり２及び３個の炭素原子を含む炭化水素から実質的になる留分、（ｉｉｉ）下部から、１分子あたり少なくとも４個の炭素原子を含む炭化水素からなる留分が排出される分離ゾーンに供給され、（ｃ）１分子あたり２及び３個の炭素原子を含む炭化水素から実質的になる留分のみが蒸気分解ゾーンに供給され、蒸気存在下で、１分子あたり２及び３個の炭素原子を含む炭化水素の少なくとも一部がモノオレフィン炭化水素に変換され、分離ゾーンの下部から得られた、１分子あたり少なくとも４個の炭素原子を含む炭化水素から実質的になる留分は、第２の水素化分解ゾーンにおいて、触媒存在下で処理され、第２の水素化分解ゾーンからの流出物は分離ゾーンに供給され、分離ゾーンにおいて、一方で、１分子あたり少なくとも４個の炭素原子を含む炭化水素が、他方で、水素、メタン、及び１分子あたり２及び３個の炭素原子を含む飽和炭化水素の混合物から実質的になる留分が排出され、少なくとも４個の炭素原子を含む炭化水素の少なくとも一部は第２の水素化分解ゾーンに再生利用され、水素ストリーム及びメタンストリームは混合物から分離され、２及び３個の炭素原子を含む炭化水素は、第１の水素化分解ゾーンに続く分離ゾーンから回収された１分子あたり２及び３個の炭素原子を含む炭化水素から実質的になる留分とともに、蒸気分解ゾーンに供給される方法に関する。蒸気分解ゾーンの出口では、メタン及び水素のストリーム、及び、１分子あたり２及び３個の炭素原子を含むパラフィン系炭化水素のストリームに加えて、１分子あたり２及び３個の炭素原子を含むオレフィン、及び、１分子あたり少なくとも４個の炭素原子を含む生成物が得られる。この米国特許第４，１３７，１４７号によれば、全てのＣ４＋化合物は、第２の水素化分解ゾーンにおいて更に処理される。
米国特許第３，７１８，５７５号は、ガソリン沸点範囲より高い沸点を有する炭化水素原料油と水素とを、第１反応ゾーンにおいて、ガソリン沸点範囲の炭化水素を生成するように選択された水素化分解条件で反応させるステップと；得られた第１反応ゾーン流出物を、第１分離ゾーンにおいて分離して、ガソリン沸点範囲の炭化水素を含む第１蒸気相と、ガソリン沸点範囲より高い沸点を有する炭化水素を含む第１液相とを供給するステップと；第１蒸気相を、第２反応ゾーンにおいて、液状炭化水素を標準的に液化石油ガス成分に転化するように選択された水素化分解条件で反応させるステップと；得られた第２反応ゾーン流出物を、第２分離ゾーンにおいて分離して、第２蒸気相と第２液相とを供給するステップと；第２液相を更に分離して、未反応のガソリン沸点範囲の炭化水素を含む第３液相を供給し、液化石油ガスを回収するステップとを含む液化石油ガスの製造方法に関する。
米国特許第４，４５８，０９６号は、エタン及びプロパンを含む原料ストリームから高い選択率でエチレン及びプロピレンを生成する方法であって、原料ストリームをエタン留分及びプロパン留分に分離するステップと；エタン留分を蒸気分解ユニットに通過させてエチレンに富んだストリームを生成するステップと；プロパン留分を触媒上で脱水素化ユニットを通過させてプロピレンに富んだストリームを生成するステップと；プロピレンに富んだストリームの圧力をエチレンに富んだストリームの圧力とほぼ等しい圧力に調整するステップと；エチレンに富んだストリームとプロピレンに富んだストリームを合わせて、混合エチレン／プロピレンストリームを生成するステップと；混合エチレン／プロピレンストリームをまず圧縮し、冷却して、不純物及び副生成物を除去し、精製ストリームを生成するステップと；精製ストリームを低温分留して、エチレン、プロピレン、未反応エタン、及び未反応プロパンを回収するステップと；未反応のエタン及びプロパンを蒸気分解ユニット及び脱水素化ユニットへそれぞれ再循環させるステップとを含む方法に関する。